(57)【要約】【課題】  親指の人差し指側の部分に違和感を覚えたり、長時間使用しても皮膚が痛くなったりすることの無い、作業用や二輪車の運転用の手袋として好適な手袋を、提供することを目的とする。【解決手段】  複数のシート状のパーツ１，２，３，４，５を相互に縫合することによって構成されている手袋Ａであり、該手袋Ａの親指部分３Ａの少なくとも先端部が単独のシート状のパーツ４によって構成された重作業用の手袋において、親指の少なくとも第１間接より先端側の部分３ｃを、前記親指部分３Ａのシート状のパーツ４を用いて親指形状に縫製する縫合ラインＬ４が親指の人差し指側の部位から変異した部位に位置するような状態で、包み込むように覆った。【選択図】        図１
2013155444.tif 000002
【特許請求の範囲】
【請求項１】
複数のシート状のパーツを相互に縫合することによって構成されている手袋であり、該手袋の親指部分の少なくとも先端部が単独のシート状のパーツによって構成された手袋において、
親指の少なくとも第１間接より先端部分を、前記親指部分のシート状のパーツを用いて親指形状に縫製する縫合ラインが親指の人差し指側の部位から変異した部位に位置するような状態で、包み込むように覆ったことを特徴とする手袋。
【請求項２】
前記親指形状に縫製する縫合ラインが、親指の反人差し指側の側面部位に形成されていることを特徴とする請求項１記載の手袋。
【請求項３】
前記親指部分のシート状のパーツが、展開した状態においてハート形状をしており、親指の少なくとも第１関節部分より先端部位を覆うような大きさのパーツであることを特徴とする請求項１又は２記載の手袋。
【発明の詳細な説明】
【技術分野】
【０００１】
本発明は、手袋、特に、作業用や二輪車の運転用として好適な手袋に関する。
【背景技術】
【０００２】
近年、手袋も目的に合わせて、又、よりはき心地を良くした、種々の構成の手袋が提供されている。
例えば、手袋の指と指の間の股部分にぴったりフィットしてはき心地の良いた手袋が、本出願人により提供されている（特許文献１）。かかる手袋は、特許文献１に記載されるとおり、指と指の間の股部分に当接する手袋の対応する部位に、該部位の立体的形態に合致したＶの字状の形状をした別パーツを配置することによって、手袋の指部分と指部分間の間の股部分にぴったりフィットしたはき心地の良い手袋が実現されている。
【先行技術文献】
【特許文献】
【０００３】
【特許文献１】特開平２００１−４９５１０号公報。
【発明の概要】
【発明が解決しようとする課題】
【０００４】
ところで、作業用や二輪車の運転用の手袋としては、ハンマーや工具，ロープ又は二輪車のハンドルのグリップ等を掌で把持する際に、握り易く、且つ握ったときに違和感を覚えず長時間握っていても疲れ難いような、手袋が求められる。
【０００５】
前記手袋の場合、指の指の間の股部分に手袋がフィットして、フィット感に優れて「はき心地」が良いものの、前述のようにハンマーの柄等を親指と人差し指とを周回させた状態で把持するときに、かかる親指部分の人差し指側の部分に縫合ラインが位置する。しかも前記縫合ラインを形成する縫合部分は、二枚の素材を同じ向きに重ねた状態で縫合しその縫合部分を中心に両側に拡げた状態にしている。
【０００６】
前記構成に起因して、所謂外縫いの場合には前記縫合ラインが内方に凸設した状態となっていることから、かかる手袋をはめて長時間作業をすると、親指の縫合ライン部分に当接している箇所に違和感を覚えたり、皮膚が痛くなったりすることがある。特に、床革製等の作業用手袋の場合には手袋の素材が硬いことに起因して、前記不都合が生じ易い。
床革等の素材を柔らかくして対応することも考えられるが、かかる場合には、手袋の寿命が短くなる等、作業用（特に重作業用）の手袋としては採用に限界がある。
【０００７】
本発明は、このような状況に鑑みておこなわれたもので、素材に床革等の硬い素材を使用した場合にも、親指の人差し指側の部分に違和感を覚えたり、長時間使用しても皮膚が痛くなったりすることの無い、作業用や二輪車の運転用の手袋（この明細書において、単に「作業用」という）として好適な手袋を、提供することを目的とする。
【課題を解決するための手段】
【０００８】
本発明にかかる手袋は、複数のシート状のパーツを相互に縫合することによって手袋の形態に構成されている手袋であり、該手袋の親指部分が単独のパーツによって構成された手袋において、
前記親指部分を、シート状の素材を用いて親指形状に縫製する縫合ラインが親指の人差し指側の部位から偏位した部位に位置するような状態で、親指を包み込むように覆ったことを特徴とする。
【０００９】
しかして、このように構成された本発明にかかる手袋によれば、ハンマーの柄や二輪車のグリップとを把持したときに、前記柄やグリップに当接している親指部分に縫合ラインが位置しないため、把持したときに違和感が全くなく、長時間把持しても親指の皮膚が痛くなったりするようなことはない。
【００１０】
前記手袋において、前記親指形状に縫製する縫合ラインが、親指の反人差し指側の側面部位に形成されていると、把持する以外の作業においても親指部分に違和感が全くなく且つ親指の皮膚を傷めるようなことはない、好ましい形態の手袋となる。
【００１１】
前記手袋において、前記親指部分のシート状のパーツが、展開した状態においてハート形状をしており、親指の少なくとも第１関節部分より先端部位を覆うような大きさのパーツであると、把持したときに圧力が作用する親指の第１関節より先端部分に縫合ラインが形成されないため、前記した本発明の作用効果を得ることができる。
【発明の効果】
【００１２】
前述のように構成された手袋によると、素材に床革等の硬い素材を使用した場合にも、親指の人差し指側の部分に違和感を覚えたり、長時間使用しても皮膚が痛くなったりすることの無い、作業用や二輪車の運転用として好適な手袋を、提供することができる。
【図面の簡単な説明】
【００１３】
【図１】本発明の実施例にかかる手袋の全体の外観構成を示す手の甲側から見た図である。
【図２】図１に示す手袋の全体の外観構成を示す掌側から見た図である。
【図３】図１，図２に示す手袋の親指部分の構成を図１と異なる角度から見た親指部分と人差し指部分の手袋の部分斜視図である。
【図４】図１，図２に示す手袋の親指部分の構成を示す図で、（ａ）は親指部分を掌側から見た斜視図、（ｂ）は親指部分の第１関節に相当する部位から先端側の部分のパーツを二つ折りにして縫着する前の状態を示す斜視図である。
【図５】図１，図２に示す手袋の各パーツの展開形状を示す図で、（ａ）は中指部分と薬指部分の掌側のパーツ、（ｂ）は親指部分の第１関節に相当する部位から付け根側の部分のパーツ、（ｃ）は親指部分の第１関節に相当する部位から先端側の部分のパーツ、（ｄ）は人差し指部分と小指部分の掌側のパーツ、（ｅ）は人差し指部分から小指部分の手の甲側のパーツを示す図である。
【発明を実施するための形態】
【００１４】
以下、本発明の実施例にかかる手袋を図面に基づいて具体的に説明する。
（実施例）
図１，図２において、Ａは手袋で、該手袋Ａは所謂「ガンカット型」の手袋である。かかる手袋Ａは、この実施例では、図５（ａ）〜（ｅ）に図示する、シート状の各パーツ等を縫合することによって、図１，図２に図示する手袋の形態に縫製される。つまり、掌側のパーツとして、図５（ｄ）に図示する手の小指部分１Ａと人差し指部分１Ｂとそれらのマチ部分とさらに掌部分１Ｃとが１体状になった第１のパーツ１と、該第１のパーツ１とは別のパーツからなる、図５（ａ）に示す薬指部分２Ａと中指部分２Ｂの掌側とそのマチ部分のパーツ２と、図５（ｂ）に示す親指部分３Ａの第１関節に略相当する部位から付け根側の背側の部分のパーツ３と、図５（ｃ）に示す親指部分３Ａの第１関節に略相当する部位から先端側の部分のパーツ４とを有する。また、手袋Ａの手の甲側のパーツ５は、図５（ｅ）に図示するように親指部分３Ａを除く略手の形をした形態となっている。
【００１５】
ところで、本実施例にかかる手袋Ａでは、前記親指部分３Ａの第１関節に略相当する部位３ａから先端側の部分のパーツ４は、図５（ｃ）に示す状態から図４（ｂ）に示す状態にハート状の谷間部分４ａを通り該谷間部分４ａの両側の部分円部分（略半円状の部分）４ｂ，４ｃが重なるように該谷間部分４ａ通る線（仮想線）４ｄを中心に二つ折りにした状態で、図５（ｂ）の親指部分３Ａの第１関節に略相当する部位から付け根側の部分のパーツ３の先端部３ｔに、基端部４ｅが、重ね合わせた状態で重なった部分が縫合される。
図１，図２に図示するように、かかる親指部分３Ａの第１関節に略相当する部位から先端側の部分のパーツ４は、前記縫合された前記縫合ラインＬ４が、親指部分３Ａの極く先端部３ｆを除いて親指３Ａの人差し指側の部位から偏位した部位に位置するような状態で、つまり、この実施例では、図１〜図３に図示する如く、前記縫合ラインＬ４が親指の反人差し指側の端に沿った位置に形成されている。
このため、かかる手袋Ａをはめた状態で、棒状のものを掌で握るような場合、あるいは自動二輪車のハンドルのグリップを強く把持したような場合にも、親指の人差し指側の側面には極く先端部を除いて手袋Ａの１枚のシート状の部分（パーツ４）のみが存在するため、従来の手袋の如く、親指の人差し指側の側面には凸状に嵩張った縫合ライン部分が当接せず、従って、該親指の当接部分等の皮膚に痛みや違和感を感じるようなことはない。
また、本実施例の如く、手袋Ａを多くのパーツ１，２，３，４，５を縫合して縫製するように構成すると、各パーツを小さな面積のもので形成することができるため、一様な形状でない天然素材である革の歩留まりが向上し、且つ、革の最も好ましい性質の部位を手袋の該当する部分に使用することができる。
【００１６】
前記実施例では、手袋Ａの親指部分３Ａを第１関節より先端側の部分を１枚のシート状のパーツ４で構成したが、別の実施形態として、前記パーツ４を親指部分の付け根近傍まで延設した形態のパーツ（図示せず）にしても、前記同様の作用効果を得ることができることは言うまでもない。
【００１７】
ところで、図１，図２に図示するように、この手袋Ａでは、周状（リング状）になった手首部分の周方向の手の甲側の略半分に、シート状の素材１０（この実施例では、前記パーツ５の一部）を使用し、残りの掌側の略半分に、周方向に伸縮するゴムが織り込まれた伸縮可能なニット素材１２を使用している。このため、この手袋Ａをはめて、係着自在になったストラップ１４の自由端部を手袋Ａの掌の手首部分に係着する際には、単に、ストラップ１４を引張った状態でその係着部位１４ａを被係着部位１５に係着すれば、片手で、ストラップ１４を所定の状態（手首部分を締めた状態）に取着することができる。手袋Ａを両手にはめるときに、片手に手袋をはめた状態でもう一方の手に手袋をはめる際には、既に手袋をはめた手で、もう一方の手に手袋をはめてその手袋の前記ストラップ１４の係着部位１４ａを被係着部位１５に取着する必要があるが、前記構成を具備した本手袋Ａの場合には、単にストラップ１４をもう一方の手で把持して締め勝手に、つまりストラップ１４を自由端側に引張った状態で取着（係着）すれば、しっかり締めた状態でストラップ１４を取着できる点で優れている。なお、前記係着部位と被係着部位には、所謂「マジックファスナー（登録商標）」あるいは均等のものが取着されている。
【００１８】
本実施例にかかる手袋Ａにおいて、前記した以外の部分、つまり親指部分および手首部分以外の他の構成は、公知の構成であってもよいことから、詳細な説明は省略する。
【００１９】
また、図５（ｄ）において、左端の略中央部分に形成されているスリット１ｊの手首側（図において左側）の部位１ｋは、図５（ｂ）に図示する親指部分３Ａのパーツ３を取着するための部分である。また、図５（ｄ）において、中央部位に形成されているスリット１ｍは、図５（ａ）に図示する中指部分２Ｂの付け根部分２ｆを取着するための部分であり、同じくスリット１ｎは、図５（ａ）に図示する薬指部分２Ａの付け根部分２ｇを取着するための部分である。また、図５（ａ）において、２ｒは中指部分２Ｂと薬指部分２Ａの連接部分、つまり、中指部分２Ｂと薬指部分２Ａの間の股部分である。
【００２０】
また、本発明は、前記実施例に限定されるものでなく、本発明の技術的思想に基づく範囲において種々の形態で実施することが可能となることは言うまでもない。
【産業上の利用可能性】
【００２１】
本発明にかかる手袋は、作業用や二輪車の運転用等として利用できる。
【符号の説明】
【００２２】
Ａ…手袋
１，２，３，４，５…シート状のパーツ
３Ａ…親指部分
３ｃ…親指の少なくとも第１間接より先端側の部分
Ｌ４…縫合ライン
【図１】
2013155444.tif 000003
【図２】
2013155444.tif 000004
【図３】
2013155444.tif 000005
【図４】
2013155444.tif 000006
【図５】
2013155444.tif 000007